(57)【特許請求の範囲】
【請求項１】
目標の表面からくずを取り除くためのダスター（１０）であって、前記ダスター（１０）は、向かい合わせの関係で接合された、少なくとも第１および第２の構成部分（１５）を備え、前記第1、第２の構成部分（１５）は前記目標の表面に接触するための面であって第１、第２の構成部分（１５）が互いに接触している面から各構成部品の厚さ方向に離れて外部空間に面する表面（１９）を有し、前記構成部分（１５）はそれぞれ、少なくとも第１および第２の可撓性層を含み、前記各構成部分（１５）の各可撓性層は、前記目標の表面に適合するため長手方向において同一の長さを有し、前記第１の可撓性層は不織布シートであり、第２の可撓性層はトウ繊維の層であり、それによって、前記第１の構成部分（１５）の前記不織布シートは、前記第２の構成部分（１５）の前記不織布シートと接触関係にあり、かつ前記第１の構成部分（１５）の前記トウ繊維の層および前記第２の構成部分（１５）の前記トウ繊維の層は、前記第１の構成部分（１５）の前記不織布シートと前記第２の構成部分（１５）の前記不織シートとが互いに接触している面から各構成部品の厚さ方向において前記不織布シートより離れており、前記第１の構成部分（１５）と第２の構成部分（１５）とは同一の厚さを有し、前記第２の構成部分（１５）は、第１の構成部分（１５）より前記長手方向において長く、第１の構成部分（１５）は、該第１、第２の構成部分（１５）の各第１端部（３２）が長手方向にオフセットされるように、第２の構成部分（１５）の上に配置される、構成部分（１５）並びに
前記ダスター（１０）をハンドル（５０）に、取り外し可能に取り付けるための取り付け装置であって、前記取り付け装置が、前記第２の構成部分（１５）における前記第１および第２の可撓性層の前記第１の構成部分（１５）の第１端部（３２）から前記長手方向に突出する第１部分（２４）であって、これにより前記取り付け装置の前記第１部分（２４）がハンドル（５０）によってアクセス可能である第１部分（２４）、及び、前記第１の構成部分（１５）の前記外部空間に面する表面（１９）と前記第２の構成部分（１５）における前記第１の構成部分（１５）の長さに対応する部分の前記外部空間に面する表面（１９）との間に配置される第２部分（２２）を備えた取り付け装置を含むことを特徴とするダスター（１０）。
【請求項２】
前記取り付け装置が、ハンドルからの歯を受容するための細長いスリーブ（２０）を含み、前記細長いスリーブ（２０）が、前記第２の構成部分（１５）における前記第１および第２の可撓性層の中の少なくとも１つの可撓性層の、前記第２の構成部分（１５）から前記長手方向において外側に配置される近位端、及び該近位端から長手方向に離れた遠位端を有し、前記遠位端は、前記第１の構成部分（１５）の前記第１の可撓性層と前記第２の構成部分（１５）の前記第１の可撓性層との間に配置される、請求項１に記載のダスター（１０）。
【請求項３】
長手方向中心線を有し、前記ダスター（１０）が、２つの細長いスリーブ（２０）を含み、前記スリーブ（２０）が、前記長手方向中心線に関して、相対して対称に配置される、請求項２に記載のダスター（１０）。
【請求項４】
向かい合わせの関係で接合されて積層体を形成する、少なくとも第１、第２の構成部分（１５）を含み、各構成部分（１５）は同一の積層構造を有し、かつ前記構成部分（１５）の一方が、他方の構成部分（１５）に対して長手方向にオフセットされている、請求項１〜３のいずれか一項に記載のダスター（１０）。
【請求項５】
向かい合わせの関係で接合されて積層体を形成する、少なくとも第１、第２の構成部分（１５）を含み、前記構成部分（１５）の一方が、他方の構成部分（１５）より大きな長手方向の寸法を有する、請求項１〜３のいずれか一項に記載のダスター（１０）。
【請求項６】
前記少なくとも第１、第２の構成部分（１５）が、向かい合う関係で接合され、前記構成部分のそれぞれが、長手方向軸に沿って細長く、前記目標の表面に接触するための外層であって第１、第２の構成部分（１５）が互いに接触している面から各構成部品の厚さ方向において最も離れて外部空間に面する外層（１１）を有し、前記構成部分（１５）はそれぞれ、前記目標の表面に適合するために、可撓性であり、前記取り付け装置は、前記ハンドルから歯を受容するために好適な細長いスリーブ（２０）を含み、前記細長いスリーブ（２０）は、前記２つの外層（１１）の少なくとも１つの外層（１１）の前記長手方向において外側に配置される近位端、及びここから長手方向に離れた遠位端を有し、前記遠位端は、前記２つの外層（１１）の間に配置される、請求項１に記載のダスター（１０）。
【請求項７】
前記スリーブ（２０）の前記長手方向において前記外側に配置される部分が、前記外層（１１）の間に配置される前記スリーブの前記部分よりも、小さい長手方向寸法を有する、請求項６に記載のダスター（１０）。
【請求項８】
互いに接合されて、積層体を形成する、複数の層を含み、前記積層体が、２つの長手方向に細長い層であって第１、第２の構成部分（１５）が互いに接触している面から各構成部分の厚さ方向に離れて外部空間に面する外層（１１）を含み、前記外部空間に面する外層（１１）はそれぞれ、トウ繊維、不織布シート、又はこれらの組み合わせを含み、前記外部空間に面する外層（１１）はそれぞれ、各第１端部、及びこれから長手方向に離間した各第２端部を有し、前記２つの外部空間に面する外層（１１）の前記第１端部は、長手方向に離間し、少なくとも１つの中央層（１３）が、前記外部空間に面する外層（１１）の間に配置され、前記取り付け装置が、前記少なくとも１つ中央層（１３）上に配置される、請求項１に記載のダスター（１０）。
【請求項９】
前記スリーブ（２０）が、長手方向に向けられ、かつ、その間に開口部を画定する複数の結合部によって形成される側部を有する、請求項８に記載のダスター（１０）。
【請求項１０】
前記スリーブ（２０）が、ハンドル（５０）を取り外し可能に受容する近位端を有し、前記スリーブ（２０）の前記近位端を指定する視覚的しるしを更に含む、請求項２〜９のいずれか一項に記載のダスター（１０）。
【発明の詳細な説明】
【背景技術】
【０００１】
様々な洗浄物品が、ダスティング、及び軽い洗浄のためにつくられてきた。例えば、乾燥した状態で、又は研磨及び洗浄組成物によって濡れた状態で使用される、布、及びペーパータオルが、比較的平坦な表面で使用されてきた。しかしながら、布及びペーパータオルは、衛生状態（洗浄中に、ユーザーの手が、化学薬品、汚れ、又は表面に触れることがある）、届く範囲（ユーザーの手を布、又はペーパータオルと共に、届き難い場所に入れることが困難である場合がある）、及び不便さ（間隔の狭い物品の間を洗浄することは、典型的に、物品の移動を必要とする）などの理由のために、問題がある。
【０００２】
布、及びペーパータオルの使用に伴う、これらの問題を克服するために、１９０６年に、ヘイデン（Hayden）に発行された、米国特許第８２３，７２５号によって例示されるように、羽毛、子羊のウール、及び合成繊維ブラシを有する様々な集塵装置が、１世紀を超える期間にわたって利用されてきた。このような集塵装置は、製造に費用がかかることがあり、そのため、洗浄、及び再利用されるように設計される。再利用可能な集塵装置に伴う１つの問題は、このような集塵装置が、ホコリを良好に把持、又は捕捉しない場合があることである。そのため、集塵装置によって捕捉された汚れは、使用中にホコリを再び堆積させる傾向があり、これは、洗浄プロセスの反復を必要とすることがある。
【０００３】
更に、汚れた再利用可能な装置は、典型的に、振盪により、又は他の機械的攪拌によって、洗浄される。このプロセスは、洗浄プロセス中（多くの場合中断する）、又はその後に、追加の工程を必要とするために、完全に満足のできるものではない。更に、装置の意図された復元が良好でなく、これに回収されたホコリを更に再堆積させる場合がある。
【０００４】
再利用可能な集塵装置によって経験される問題に対処するため、限定的な再利用性を有する、使い捨て集塵装置が、開発されてきた。これらの使い捨て集塵装置は、不織シート（不織布）に取り付けられる、合成繊維の束で作製されるブラシ部分を含み得る。このような装置は、例えば、米国特許第６，８１３，８０１（Ｂ２）号、米国特許出願公開第２００５／００９７６９５（Ａ１）号、及び／又は欧州特許第１，２９９，０２６（Ｂ１）号によって作製されてもよい。
【０００５】
これらの参考文献は、再利用可能なハンドルに取り付け可能であり、これから取り外し可能である、使い捨て洗浄物品を開示する。物品は、長手方向軸に沿って細長く、平坦であってよく、及び／又はこれらの厚さを増すために、「毛羽立たせ」られていてもよい。このような物品は面を備えてもよく、選択的な洗浄面を有し、これは、典型的に、目標の表面と接触してそこからほこりを除去するために使用される、面である。洗浄面の反対側は、第２面であり得、取り付け面として使用可能である。取り付け面は、ダスターをハンドルに取り付けるために使用可能である。
【０００６】
ハンドルは、洗浄中にユーザーによって把持される把持部、及びハンドルを使い捨てダスターに取り外し可能に取り付けるための、１つ以上の手段を有してもよい。ハンドルをダスターに取り外し可能に取り付けるための、一般的な手段は、１つ以上の細長い歯を含む。１つ以上の歯は、ダスター上に配置される、１つ以上の補完的なスリーブの中に、挿入され得る。一般的な形状は、ハンドル上の、２つの長手方向に平行な、細長い歯を含み、これは、ダスターの取り付け面上に配置される、補完的な、長手方向に平行な細長いスリーブ内に挿入される。
【０００７】
しかしながら、単一の選択的洗浄面を有するダスターは、間隔の狭い物品の隙間、又は対向する表面を洗浄するために、２つの工程を必要とすることがある−隙間の一面／一表面を洗浄する工程、及び反対側の面／表面を洗浄する第２の工程。これは、洗浄プロセスの時間を増す（ユーザーが、更に忘れずに第２工程のためにダスターを裏返すことを想定する）。
【０００８】
この問題を克服するため、複数の面、通常３６０°まで使用可能な周囲を有するダスターが提案されてきた。しかしながら、このようなダスターは複雑であり、そのため製造するのに費用がかかる場合がある。
【０００９】
製造の複雑さを克服し、これによって費用を削減するための、１つの試みは、複数の面を備えるダスターを製造することであり得る。このようなダスターは、取り付け面が中央に面し、選択的な洗浄面が外側に面するようにして、２つ以上のダスターを背中合わせの関係で配置することによって製造され得る。この構成は、２つ（又はそれ以上）の同一のダスターを使用して単一の洗浄装置を作製することを可能にするための、単純さをもたらす。
【００１０】
しかしながら、第２面が内側に配置される、即ち、装置の中央に面する場合、ユーザーが、ハンドルを取り付けるために、取り付け装置を利用する（又は更に直接触れる）ことが困難であり得る。例えば、一般的な二重スリーブ（dual sleeve）構成が利用される場合、スリーブは更にユーザーの目に見えない場合がある。これは、ユーザーが、ダスターへの取り付けのために、ハンドルを適切に揃えることを、困難にする。
【先行技術文献】
【特許文献】
【００１１】
【特許文献１】米国特許第８２３，７２５号
【特許文献２】米国特許第６，８１３，８０１（Ｂ２）号
【特許文献３】米国特許出願公開第２００５／００９７６９５（Ａ１）号
【特許文献４】欧州特許第１，２９９，０２６（Ｂ１）号
【発明の概要】
【発明が解決しようとする課題】
【００１２】
集塵装置の洗浄特性を改善するための試みがなされてきた一方で、ダスターの問題点及び非効率性を軽減するための研究が、特に目標の表面を洗浄するための、複数の面を備えるダスターに関連して、依然として継続している。
【課題を解決するための手段】
【００１３】
本発明は、表面からくずを取り除くための、ダスターを含む。ダスターは、向かい合う関係で接合される、少なくとも２つの構成部分であって、各構成部分は、目標の表面と接触するための、外側に面する表面を有する、構成部分と、ダスターをハンドルに、取り外し可能に取り付けるための、取り付け装置とを有する。取り付け装置は、この取り付け装置部分がハンドルによってアクセス可能であるように層の外側に配置される第１部分、及びこの層の間に配置される第２部分を有する。
【図面の簡単な説明】
【００１４】
【図１】ダスター、及び取り外し可能に取り付けられるハンドルの斜視図。
【図２】明確さのために、隣り合うストリップ間の分離が、省略されている、図１の、線分２−２に沿ってとられた概略分解組立て垂直断面図。
【図３】左側が図１のダスターであり、右側が、異なる長さであり、同一延長の長手方向端部を有さない、２つの構成部分を有する別の実施形態である、部分的に切り取られて示されるダスターの、破断された平面図。
【発明を実施するための形態】
【００１５】
本明細書で使用するとき「限定的な再利用性」とは、ダスター１０が、一度の作業（約６〜１２平方メートルの表面）に使用されて直ちに廃棄されるか、又は復元されて更に約１〜約５回の作業のために再利用された後に廃棄され得ることを意味する。羽毛ダスター、布、ストリングモップ、ストリップモップなどを含む、従来的なダスターは、本発明の目的のために、使い捨てではない。
【００１６】
親水性とは、水及び／又は水溶液に対して高い親和性を有する、繊維又は他の材料を指す。親水性繊維としては、セルロースなどの木質繊維、並びに綿、大麻、黄麻、アバカ、ケナフ、サバイ草（sabai grass）、亜麻、エスパルト草、藁、バガス、トウワタ真綿繊維類及びパイナップル葉繊維類などの非木質繊維が挙げられるがこれらに限定されない。親水性繊維には、レーヨン、ビスコース、リヨセル、アセテート、トリアセテートなどの化学処理された繊維もまた挙げられる。本明細書で使用するとき、「親水性不織布層」又は「親水性不織布」とは、親水性不織布繊維を含む層若しくは多層、又は親水性になるように処理されたシート材料を指す。
【００１７】
疎水性とは、水及び水溶液に対して低い親和性を有し、かつ合成及び／又は熱可塑性であり得る、繊維又は他の材料を指す。生来疎水性である繊維／材料としては、相同ポリマーランダムコポリマー又はブロックコポリマーのいずれかのようなエチレン、プロピレン、スチレン、アミド及びエステルに由来するポリマーが挙げられる。
【００１８】
ダスター１０のｚ方向は、ハンドル５０に最も近接した不織布層と垂直の方向であり、ダスター１０のｘ−ｙ平面は、ハンドル５０に最も近接した不織布層により画定される平面として定義される。ダスター１０、スリーブ２０などの長さは、長手方向でとられる。ダスター１０の幅は、長さに垂直な方向と一致し、取り付け層の面の内部に配置される。厚さは、ｚ方向の寸法として定義される。長手方向は、ダスター１０、ハンドル５０、又はこれらの構成要素の、主要方向である。本明細書で使用するとき、長手方向のオフセットとは、２つ以上の構成要素又は１つ以上の構成要素上の点の、このような点又は構成要素を含む平面内において長手方向軸Ｌ−Ｌから広がり、これに垂直に延びる共通の線上に位置しない、配置を指す。
【００１９】
図１を参照すると、ダスター１０は、一般的に細長く、図示されるような、長手方向軸Ｌ−Ｌを有し得るが、他の形状が実行可能である。図示されるように、ダスター１０は、ハンドル５０に取り外し可能に取り付けられてもよい。
【００２０】
ダスター１０は、１つ以上の構成部分１５を含んでもよい。構成部分１５は、互いに積層されてもよい。各構成部分１５は、第１の外側に面する選択的な洗浄面１９、及びこれと反対側の、第２の内側に面する取り付け面を有し得る。個々の構成部分１５は、当該技術分野において既知の、面を備えるダスター１０として使用可能であり得る。面を備えるダスター１０は、本発明のダスター１０を形成する方法として、背中合わせの関係で利用されてもよい。
【００２１】
図２〜３を参照すると、ダスター１０は、１〜８つ又はそれ以上の層を含んでもよく、３〜６つの層が好適であることが見出されている。製造を容易にするため、ダスター１０は、積層体を形成するように向かい合わせの関係で互いに接合される第１及び第２の構成部分１５を含み得る。第１及び第２構成部分１５は、ほぼ同様、又は同一であってもよく、背中合わせで接合され、それによって、各構成部分１５が、ダスター１０の内部で、他方の構成部分１５の内側に面する表面に接合されるか、及び／又は接触する、内側に面する表面を有する。同様に、各構成部分１５は、洗浄に好適な、外側に面する表面１９を有してもよい。各構成部分１５の、外側に面する表面１９は、ほぼ１８０°離れた方向を向いていてもよい。別の実施形態では、ダスター１０は、互いに１２０°離れた３つの構成部分１５、互いに９０°離れた４つの構成部分１５を含んでもよく、同等でない角度で配置されるなどしてもよい。構成部分１５は、互いに同一であり、製造における標準化及び利便性をもたらしてもよい。あるいは、複数の構成部分１５は異なり、ハンドル５０の形状にカスタマイズされてもよい。
【００２２】
図２を参照すると、各構成部分１５は、洗浄される目標の表面と、選択的に接触するための、任意の第１層１１を含んでもよい。目標の表面は、例えば棚、若しくはカウンタートップなど、剛性であってもよく、又は、布、若しくは革など、柔軟であってもよい。
【００２３】
第１層１１は、不織布シートを含んでもよい。圧縮可能、及び／又は変形可能な第２層１２が、第１層１１に隣接してもよい。第２相１２は、トウ繊維を含んでもよい。第２相１２は、任意の第１層１１が除かれる、又は妨げられる場合に、目標の表面に接触するために好適であり得る。第３層１３が、第２相１２に隣接してもよい。第３層１３は、取り付け装置を備えるか、その上に取り付け装置を配置されているか、又は取り付け装置と並置されてもよい。第３層１３は、不織布シートを含んでもよい。
【００２４】
３つ以上の層１１、１２、１３は、互いに接合されて、一体型構成部分１５を形成してもよい。接合は、接着剤結合、ヒートシール、自溶結合など、当該技術分野において既知の、任意の手段を使用して達成されてもよい。結合は、ハンドル５０を取り外し可能に取り付けるための、取り付け装置を提供する、パターンでなされてもよい。
【００２５】
図１を参照すると、ハンドル５０は細長く、ハンドル取り付け部を有してもよい。ハンドル取り付け部は、ダスター１０の取り付け装置に取り外し可能に取り付けられ、これから取り付け可能に取り外されてもよい。ハンドル取り付け部、及びダスター１０取り付け装置は、これらが、これらの構成要素いずれかの、破壊又は過度の変形を伴うことなく、このような取り外し可能な取り付けを可能にする場合、補完的であるとみなされ、ハンドル５０は、複数の用途を意図され、ダスター１０は単一の洗浄作業を意図されるものと認識される。
【００２６】
取り付け装置は、ダスター１０の、任意の好適なハンドル５０への取り外し可能な取り付けを提供し得る。ダスター１０取り付け装置、及び補完的なハンドル取り付け部は、接着剤結合、粘着剤結合、機械的係合などを含んでもよい。取り付け装置は、構成部分１５の内部にあるか、又は構成部分１５を形成するために利用される層のいずれかの上に配置されてもよい。例えば、取り付け装置は、第３層１３の上に配置されてもよい。
【００２７】
図２〜３を参照し、ダスター１０の構成要素をより詳細に観察すると、ダスター１０は、少なくとも１つの、親水性不織布繊維の第１層１１を含み得る。第１層１１は、ハイドロフォーミングされた、及び／又は非平坦な、不織布であり得る。好適な不織布は、同一出願人による米国特許第６，７９７，３５７号、同第６，９３６，３３０号、同第Ｄ４８９，５３７号、及び／又は同第Ｄ４９９，８８７号によって作製され得る。
【００２８】
第１層１１は、この層１１の残部とは独立して可動である、少なくとも１つの自由端を有し得る。一実施形態では、１つ以上の自由端は、不織布繊維の少なくとも一層を、第２層１２に対して、部分的に結合することによって達成され得る。別の実施形態では、より多い量の自由端が、親水性不織布繊維を含む層を、複数のストリップ１７に切断することによって、つくられ得る。
【００２９】
ストリップ１７は、長手方向に対して傾いていてもよく、これに直交してもよく、及び／又はＸＹ平面内に配置されてもよい。ストリップ１７は、互いに独立して動くことができ、ダスター１０が比較的小さな空間に入ることを可能にする。動く自由端を備えた、少なくとも１つの層を有することにより、ダスター１０の表面積が増して、より良好な洗浄を提供することがある。ストリップ１７は、図３の左側に例示されるように、同等の長さ及び幅であり、鋸歯状の縁などによって画定される側部を有してもよく、又は、図３の右手に例示されるように、同等でない長さ及び幅であり、異なる側部を備えてもよい。
【００３０】
第１層１１の数に制限はなく、親水性又は疎水性であり、本発明と共に使用可能である。一実施形態では、それぞれ、約５〜約５００ｇ／ｍ2の範囲に及ぶ、親水性不織布シートの、約２〜約２０の層が、第１層１１中で利用され得る。第１、第２、及び第３層１１、１２、及び１３のいずれかが、吸収される汚れの保持を向上するために、ワックス及び／又はオイルでコーティングされてもよい。
【００３１】
ダスター１０の任意の第２層１２は、トウ繊維などの、束繊維層を含んでもよい。２つの繊維は合成繊維であってもよい。第２層１２は、第１及び第３層１１、１３と、任意の様式で並置されてもよい。本明細書で使用するとき、「束繊維」及び／又は「トウ」は、ポリエステル、ポリプロピレン、ポリエチレン、及びセルロースアセテートを含むセルロース材料、並びにこれらの組み合わせを含む、合成ポリマーを含む、製造される繊維であって、個々の繊維が比較的長いストランドであり、束で製造される。束繊維は、区別可能な開始点及び終点を有し、少なくとも約１ｃｍの長さである、任意の繊維として定義され得る。
【００３２】
本発明のダスター１０は、親水性不織布の吸収性よりも高い吸収性を有する吸収性コア（図示されない）を、任意に含み得る。コアは、第２層１２と並置され、そのいずれかの面上に配置され得る。吸収性コアは、エアレイドされている、及び／又は吸収性ゲル材料を含んでいてもよい。吸収性コアは、ダスター１０に剛性を提供し得る。吸収性コアは、ハンドル５０に隣接して配置されるか、又は第１層１１に並置されてもよい。ダスター１０は、目標の表面に、より高い圧力を適用することを可能にする、専用の硬化層を、任意に含んでもよい。好適な硬化材料の非限定的な例としては、厚紙、ＰＶＡフォーム、ポリエチレン、ポリプロピレン、及びポリエステルフィルム、及びこれらの組み合わせ、硬質フォーム、ゴム、木材などが挙げられる。
【００３３】
本明細書で使用するとき、吸収性コアは、７０ｋｓｍの制限圧力下で、少なくとも約０．４ｍｍ厚さのキャリパーを有する親水性不織布材料を含んでもよく、これは、基材１グラム当たり少なくとも約７グラムの脱イオン水の、吸収性を追加的に有し得る。コアは、少なくとも約７０ｇ／ｍ2、又は少なくとも約７５ｇ／ｍ2、及び約５００ｇ／ｍ2未満、又は約３００ｇ／ｍ2未満の坪量を有し、約０．１５未満、又は約０．１０ｇ／ｃｍ3未満の密度を備え、流体収容能力及び容量を最大化してもよい。吸収性コアは、洗浄流体の保持のための、リザーバとして機能し得る。
【００３４】
第３層１３は、残りの層１１、１２のためのシャーシを提供する、任意のシートを含み得る。第１層１１は、例えばポリオレフィンフィルムなどのフィルム、不織布、又は、ほぼ平面であり、表面の洗浄に好適であるか、若しくは表面の洗浄に使用され得る他の材料を取り付けるために好適であるかのいずれかである、他の好適な可撓性材料であり得る。
【００３５】
合成繊維不織布を含む第３の層１３が好適であることが見出されている。合成繊維不織布は、溶融性であり、接着剤又は追加の材料を使用することなく、他の層の結合を可能にすることがある。２つ以上のプライの不織布、フィルムなどが、互いに結合されて、積層第３層１３を形成してもよい。２つのプライは、所望により、同一、又は異なる大きさ、材料などであってもよい。
【００３６】
２つ以上のプライが、熱接着、自溶結合、接着剤、又は当該分野において既知の他の手段によって、互いに接合されて、１つ以上の第３層１３をつくってもよい。２つのプライの接着接合は、ハンドル５０の歯５２と補完的であり、これを受容することができる、スリーブ２０を提供するパターンで提供されてもよい。結合は、歯５２が、隣接する結合部の間につくられる、ポケット又はスリーブ２０の中に挿入され得るように、ほぼ長手方向に向いた、パターンで提供されてもよい。図３に例示される、非限定的な、代表的な結合パターンは、連続的なものとして例示される中央軸部４２を有するが、不連続的な中央軸部４２の結合パターンもまた利用され得る。
【００３７】
層１１、１２、１３は、所定の結合パターンを使用して、互いに接合されてもよい。１つの好適な結合パターンは、中央長手方向結合部を含み、これはダスター１０の構成部分１５に軸部４２を形成し、層を互いに接合する。この軸部４２は、連続的な結合部であってもよい。二次結合部４４は、軸部４２の外側に配置されてよく、また、長手方向に向けられてよい。二次結合部４４は、軸部４２の反対側に対称に配置され、その間に長手方向に向けられるスリーブ２０を画定してもよい。二次結合部４４は、非連続的であってよい。
【００３８】
中央軸部４２結合部の外側では、パターンは、やはりほぼ長手方向に向けられた、連続的又は非連続的な結合部の、他のパターンであり得る。中央軸部４２結合部と、中央軸部４２の横方向すぐ外側に配置される外側結合部４４との間の空間は、ハンドル５０の歯５２を受容するためのポケット又はスリーブ２０をつくり得る。外側結合部４４が、非連続的である場合、このような結合部は、ほぼ長手方向に向けられた、１つ以上の外側直線に提供されてもよく、単純化した場合（in a degenerate case）、長手方向軸Ｌ−Ｌに平行である。所望により、２つの外側直線が利用されてもよい。２つの第１直線は、中央軸部４２に平行であり、かつこれの反対側でほぼ対称を成してもよい。
【００３９】
所望により、追加的な結合部が、外側直線又は結合部の直線と並置されてもよい。このような追加的な結合部は、１つ以上の第３直線で提供され、ほぼ長手方向に向けられ、また、単純化した場合、長手方向軸Ｌ−Ｌと平行であってもよい。結合部の中央軸部４２、及び結合部の第２直線４４は共に、連続的、又は別個であり得る。結合部の第２直線４４が双方とも不連続的である場合、ダスター１０は、多くの場合において洗浄のために望ましいより厚い構成へと、より容易に形成され得ることが見出された。
【００４０】
結合部４２の第１直線、及び結合部の第２直線４４は、非連続的である場合、任意の好適な形状であり得る。結合部の第１直線、及び結合部の第２直線４４は、互いに長手方向にオフセットする個別の結合部を有し、ダスター１０が、比較的厚い形状をとる傾向を増してもよい。更に、結合部４２、４４は、第１、第２、及び第３層、１１、１２、１３を、一体型の構成部分１５に接合するために使用されてもよい。同様に、結合部の単一のセットは、単一の構成部分１５の層、及び複数の構成部分１５を、接合して、一体型ダスター１０を形成するために使用され得る。
【００４１】
一方の構成部分１５が、他方の上に配置されてもよく、それによって各構成部分１５は、他方の構成部分１５の各第１端部３２、各第２端部３４に対応する、第１端部３２、及び第２端部３４を有する。第１及び第２端部３２、３４は、長手方向に離間していてもよい。
【００４２】
スリーブ２０は、したがって、同等の大きさを有し、ダスター１０の長手方向中心線に関し、対称に配置され得る。この構成は、ハンドル５０の複数の歯５２を同一にさせ、ハンドル５０の製造の単純さを提供する。あるいは、スリーブ２０は、異なる大きさであってもよく、又は構成部分１５において、異なる位置を有してもよい。この構成は、ハンドル５０及びダスター１０が組み合わされ、適切な、専用の様式においてのみ組み立てられ得るという、利益をもたらす。
【００４３】
同様に、歯５２を受容するための、補完的な、少なくとも１つのスリーブ２０は、ほぼ真っ直ぐであり、一定の、又は変化する断面図（テーパ形状など）を有してもよく、弾性の、若しくは非弾性の材料から作製されるか、又は、歯に係合するために、これに付加される弾性ストランドを有するなどしてもよい。スリーブ２０の数は、補完的な歯の数よりも少ないか、これと等しいか、又はより多くてもよい。
【００４４】
図１を参照し、ハンドル５０をより詳細に観察すると、ハンドル５０は、ダスター５０取り付け機構への取り付けのための、１つ以上のハンドル取り付け部、及びユーザーによって把持される把持部５４を有し得る。ハンドル５０は、届く範囲と操作性を促進し、洗浄を改善するための目標の表面への圧力、及び目標の表面とユーザーの手の間隔を提供し得る。例えば、２００１年１０月２５日に出願された、国際公開第０２／３４１０１（Ａ１）号に例示されるように、ダスター１０に取り外し可能に取り付けることができる、任意のハンドル５０が想到される。ハンドル５０は、ダスター１０に、直接的に、取り外し可能に取り付けられてもよく、又は、機械的及び化学的手段を含む、任意の動作可能な接続部を使用した別の部材によって、間接的に接続されてもよい。非限定的な例として、フック・ループ式ファスナー、接着剤、粘着剤取り付け、又は機械的係合が、ハンドル５０とダスター１０を取り外し可能に取り付けるために使用され得る。機械的係合が選択された場合、ダスター１０は、ダスター１０の１つ以上の歯５２と補完的であり、これを受容するための、スリーブ２０を有し得る。ハンドル５０の歯５２は、ほぼ平坦かつ平面的であり、一定又は変化する断面を有してもよく、歯５２の平面又はこれに垂直な平面において、曲線状であってもよく、同じ又は異なる大きさ及び形状であってもよい。
【００４５】
歯５２は、把持部５４から、一端のみが突出していてもよい。歯５２及び把持部５４は、一体型／不可分であってもよく、又は互いに接合可能な２つ以上の部分を含んでもよい。歯５２は、互いに対してほぼ平行であるか、又は傾いていてもよく、長手方向軸Ｌ−Ｌにほぼ平行に向いていてもよい。２つの歯５２が図示されるが、ハンドル５０は、単一の歯５２、又は２つ以上の歯を含み得る。以下に記載されるように、歯５２が、ダスター１０に係合し、これを保持することを可能にする任意の構成が、好適である。把持部５４はまた、ほぼ長手方向に向けられ、１つ以上の歯と平行で、一直線になるか又はこれからオフセットされていてもよい。ハンドル５０は、テレスコープ式であるか、ないしは別の方法で、延伸可能／格納可能、及び／又は関節式であり得る。
【００４６】
再び図２〜３を参照すると、スリーブ２０、又は他の取り付け装置は、構成部分１５の間、より具体的には、構成部分１５の外側に面する層の間に配置される第１部分２２を有してもよい。これは、スリーブ２０の第１部分２２が、審美的に心地の良いものである必要がなく、更に第１部分２２が、使用中、又は更に包装及び輸送中に阻害されることから保護するという、利益をもたらす。
【００４７】
スリーブ２０、又は他の取り付け装置は、構成部分１５の外側に配置される、第２部分２４を更に有し得る。これは、第２部分２４が、使用部位で可視であり、ハンドル５０にとって、より具体的には、長手方向に向けられた取り付け部を有するハンドル５０の歯５２にとって、容易にアクセス可能であるという、利益をもたらす。第２部分２４は、ハンドル５０の任意の取り付け部の近位にあり得、ダスター１０に取り付けられる際に、ハンドル５０と最初に接触するスリーブ２０の部分であり得る。構成部分１５の間に配置される、スリーブ２０の部分２２は、スリーブ２０の近位端が係合した後に、歯５２によって一般的に係合される。
【００４８】
少なくとも１つのスリーブ２０の、第２又は外側部分２４は、構成部分１５のいずれか一方、又は両方の、１つ以上の第３層１３と並置されるか、又はその上に配置されてもよい。例えば、スリーブ２０は、２つの、ないしは互いに接合された、第３層１３の間の開口部として形成されてもよい。あるいは、スリーブ２０は、単一の第３層１３上に配置されてもよい。スリーブ２０は、結合部４２、４４によって画定される、周辺部を有し得る。結合部４２、４４は、ヒートシール、接着剤、弾性又は非弾性ストランドなどを含み得る。結合部４２、４４は、所望により、連続的、又は非連続的であってよい。
【００４９】
構成部分１５は、同一であり、長手方向にオフセットされるパターンで組み立てられてもよい。この構成は、第３層１３の一部、及び同様に、この上に配置されるスリーブ２０の部分２４が暴露されることを可能にする。暴露される、スリーブ２０の部分２４、及び第３層１３は、このとき使用部位が可視であり、ハンドル５０にとってアクセス可能であり得る。加えて、係合した際、歯５２と遠位にあるダスター１０の部分は、これが、剛性をもたらす構成部分１５を１つのみ有するために、より可撓性であり得る。この構成は、ダスター１０の先端が、特殊な、又は特定の狭い形状の隙間などに届き得るという、利益をもたらす。
【００５０】
構成部分１５は、同等でない長手方向の長さ、及び同等若しくは同等でない、幅若しくは厚さであってもよい。その場合、より短い構成部分１５が、より長い構成部分１５上に、又はこれに関して配置されてもよく、それによって、それぞれの端部３２は、長手方向にオフセットされる。この構成は、スリーブ２０の第１端部３２を暴露し、更に操作することなく、これを、ユーザーにとって可視、及びアクセス可能にする。
【００５１】
図３の左手の部分を参照すると、異なる長さを有する構成部分１５のそれぞれの第２端部３４が、共有点で配置され、これによって同一延長の長手方向端部３４を有してもよい。この構成は、スリーブ２０のより多くの部分が暴露され、これを使用部位で容易にアクセス可能にし得る、という利益をもたらす。
【００５２】
スリーブ２０は、少なくとも５ｍｍの長手方向寸法を有する、暴露される第２部分２４を有し得る。この長さは、ほとんどのユーザーにとって、ハンドル５０を操作し、これに取り付けるために十分である。
【００５３】
あるいは、図３の右手の部分を参照すると、異なる長さを有する構成部分１５のそれぞれの第２端部３４が、より短い構成部分１５の第１及び第２端部３２、３４の両方が、より長い構成部分１５のそれぞれの第１及び第２端部３２、２４の、長手方向内側に配置されるように、配置されてもよい。この構成は、スリーブ２０の２つの暴露される部分を有する形状を提供し得る。これは、ハンドル５０の歯５２が、スリーブ２０に、長手方向のいずれからも挿入され得るという、利益をもたらす。
【００５４】
必要であれば、スリーブ２０、又はダスター１０の他の取り付け装置は、ユーザーが、スリーブ２０、又は他の取り付け装置を見出し、これを歯５２、又はハンドル５０の他の取り付け装置に、取り外し可能に取り付けることを補助するための、１つ以上のしるしを備えてもよい。例えば、スリーブ２０は、ダスター１０の残部の色と対比される色を有してもよい。加えて、又は別の方法として、矢印、又は他の視覚的信号が、ダスター１０に、印刷されるか、ないしは別の方法で配置されてもよい。矢印、又は他の視覚的信号は、スリーブ２０の長手方向及び／又は近位端を指定するために位置付けられてもよい。
【００５５】
必要であれば、このようなしるしは、結合部４２、４４のパターン、又は個々の結合部４２、４４の形状によって提供されてもよい。例えば、第３層１３が、比較的明るい色であり、下部の第２層１２がより暗い色である場合、これらの層１３、１２を接合する結合部４２、４４は、暴露される層１３よりも暗く見える。このより暗い色は、ユーザーが、ハンドル５０及びダスター２０を取り付ける／取り除くことを補助する、しるしを形成し得る、色の対比をもたらす。
【００５６】
必要であれば、ダスター１０は、任意により、洗浄溶液、又は外観のための表面の処理、若しくは消毒剤など、他の目的のために使用可能な他の溶液と共に使用されてもよい。洗浄溶液は、ダスター１０に予め適用されて、予め湿らせたダスター１０をつくってもよく、又はダスター１０、及び／又は目標の表面に適用するために、別個のリザーバの内部に収容されてもよい。洗浄溶液は、大部分を占める水、又は少なくとも約６０％、７０％、８０％、若しくは９０％の水を含んでもよい。本発明と共に使用可能な洗浄溶液は、少なくとも約０．５、２、５、又は１０重量％の固体を含んでもよい。別の実施形態では、洗浄溶液は、少なくとも約３０重量％、又は少なくとも約５０重量％の水性溶媒若しくは水、又はこれらの混合物を含む。本発明のダスター１０は、同様に、非水性溶媒と共に使用され得る。
【図１】
0005443346.tif 000002
【図２】
0005443346.tif 000003
【図３】
0005443346.tif 000004